(57)【要約】      （修正有）【課題】オイル潤滑性とグリース潤滑性の両方を改善するとともに、設計製造コストを低減できるアンギュラコンタクトボールベアリングの支持フレームを提供する。【解決手段】支持フレームの本体は内部リング１を含み、内部リングの一端には円周に均等配置される内側梁部１１が連結され、隣接する２つの内側梁部と内部リングによりＵ型の内部支持講１２が形成され、支持講の壁部中央には外部から内部に連結される第一接触凸面と第一回避面が形成され、支持講の壁部両端には壁部の幅方向に延伸する凹入接触凸面が形成される。本体は一端に外側梁部２１が連結される外部リング２を更に含み、隣接する２つの外側梁部と外部リングによりＵ型の外部支持講２２が形成され、外側梁部は内側梁部の外表面に固定され、内部支持講と外部支持講により回転体支持孔が形成され、外部支持講の壁部中央には外部から内部に連結される第二接触凸面と第二回避面が形成され、外部支持講の壁部両端には壁部の幅方向に延伸する突出接触凸面が形成される。【選択図】図５
0003227401.tif 000002
【実用新案登録請求の範囲】
【請求項１】
支持フレーム本体（ａ）を含み、支持フレーム本体（ａ）の円周には円周に均等に配列される複数個の回転体支持孔（ａ１）が形成されているアンギュラコンタクトボールベアリングの支持フレームであって、支持フレーム本体（ａ）は内部リング（１）を含み、内部リング（１）の一端には円周に均等に配置される複数の内側梁部（１１）が連結され、内側梁部（１１）の内部リング（１）から離れている一端は支持フレーム本体（ａ）の直径方向の中心平面を少し超え、隣接している２つの内側梁部（１１）と内部リング（１）によりＵ型の内部円錐型支持講（１２）が形成され、内部円錐型支持講（１２）の壁部の中央には外部から内部への方向に連結される第一中央円弧型接触凸面（１３）と第一内部回避面（１４）が形成され、内部円錐型支持講（１２）の壁部の両端には内部円錐型支持講（１２）の壁部の幅の方向に延伸する凹入円弧型接触凸面（１５）がそれぞれ形成され、支持フレーム本体（ａ）は外部リング（２）を更に含み、外部リング（２）の一端には円周に均等に配置される複数の外側梁部（２１）が連結され、隣接している２つの外側梁部（２１）と外部リング（２）によりＵ型の外部円錐型支持講（２２）が形成され、内側梁部（１１）の数量と外側梁部（２１）の数量は等しく、外側梁部（２１）は内側梁部（１１）の外表面に一つずつ固定され、かつ外側梁部（２１）の外部リング（２）から離れている一端は内部リング（１）の外壁まで延伸し、内部円錐型支持講（１２）の大直径部の外側端部は外部円錐型支持講（２２）の大直径部の内側端部に向き、かつ前記内部円錐型支持講（１２）と外部円錐型支持講（２２）により前記回転体支持孔（ａ１）が形成され、外部円錐型支持講（２２）の壁部の中央には外部から内部への方向に連結される第二中央円弧型接触凸面（２３）と第二内部回避面（２４）が形成され、外部円錐型支持講（２２）の壁部の両端には外部円錐型支持講（２２）の壁部の幅の方向に延伸する突出円弧型接触凸面（２５）がそれぞれ形成され、前記突出円弧型接触凸面（２５）は前記凹入円弧型接触凸面（１５）の外側にそれぞれ位置し、回転体はそれぞれ、第一中央円弧型接触凸面（１３）、凹入円弧型接触凸面（１５）、第二中央円弧型接触凸面（２３）および突出円弧型接触凸面（２５）と接触し、回転体の接触位置と連結されて形成される輪郭線の曲率半径は回転体の曲率半径より大きく、回転体の非接触位置と連結されて形成される輪郭線の曲率半径は回転体の曲率半径より小さいことを特徴とするアンギュラコンタクトボールベアリングの支持フレーム。
【請求項２】
前記凹入円弧型接触凸面（１５）の外側の辺縁と突出円弧型接触凸面（２５）の内側の辺縁は連結され、かつ凹入円弧型接触凸面（１５）と突出円弧型接触凸面（２５）との間には回避区間（１６）が形成されることを特徴とする請求項１に記載のアンギュラコンタクトボールベアリングの支持フレーム。
【請求項３】
前記外部円錐型支持講（２２）の壁部の両端には突出円弧型接触凸面（２５）にそれぞれ連結されかつ外部円錐型支持講（２２）の外部から外部円錐型支持講（２２）の内部への方向に連結される制限用円弧型凸面（２６）、制限用円弧型凹面（２７）および傾斜面（２８）が形成されることを特徴とする請求項１に記載のアンギュラコンタクトボールベアリングの支持フレーム。
【請求項４】
外側梁部（２１）の両側面には前記突出円弧型接触凸面（２５）、制限用円弧型凸面（２６）、制限用円弧型凹面（２７）および傾斜面（２８）がそれぞれ形成され、外側梁部（２１）の一側面に形成される突出円弧型接触凸面（２５）と他の一側面に形成される突出円弧型接触凸面（２５）は対称に形成され、外側梁部（２１）の一側面に形成される制限用円弧型凸面（２６）と他の一側面に形成される制限用円弧型凸面（２６）は対称に形成され、外側梁部（２１）の一側面に形成される制限用円弧型凹面（２７）と他の一側面に形成される制限用円弧型凹面（２７）は対称に形成され、外側梁部（２１）の一側面に形成される傾斜面（２８）と他の一側面に形成される傾斜面（２８）は対称に形成されかつ２つの傾斜面（２８）は八字型に配置されることを特徴とする請求項３に記載のアンギュラコンタクトボールベアリングの支持フレーム。
【請求項５】
前記第一内部回避面（１４）と第二内部回避面（２４）はいずれも円弧型の凹面であることを特徴とする請求項１に記載のアンギュラコンタクトボールベアリングの支持フレーム。
【請求項６】
前記外側梁部（２１）の内表面は円弧結合型凹面であり、内側梁部（１１）の外表面は円弧結合型凸面であり、その円弧結合型凸面と内部リング（１）の外壁は整列し、前記円弧結合型凹面は円弧結合型凸面に適合し、かつ円弧結合型凹面は内部リング（１）の外壁に適合することを特徴とする請求項１に記載のアンギュラコンタクトボールベアリングの支持フレーム。
【請求項７】
各内側梁部（１１）の端部の両側面には前記凹入円弧型接触凸面（１５）が配置され、内側梁部（１１）の端部の一側面に配置される凹入円弧型接触凸面（１５）と内側梁部（１１）の端部の他の一側面に配置される凹入円弧型接触凸面（１５）は対称に配置されることを特徴とする請求項１に記載のアンギュラコンタクトボールベアリングの支持フレーム。
【請求項８】
前記第一中央円弧型接触凸面（１３）は内部円錐型支持講（１２）の壁部の中央位置に形成されることを特徴とする請求項１に記載のアンギュラコンタクトボールベアリングの支持フレーム。
【請求項９】
前記第二中央円弧型接触凸面（２３）は外部円錐型支持講（２２）の壁部の中央位置に形成されることを特徴とする請求項１に記載のアンギュラコンタクトボールベアリングの支持フレーム。
【請求項１０】
内側梁部（１１）の内部リングから離れている一端には下部と内部へ傾斜する内部傾斜面（１７）が形成され、外側梁部（２１）の外部リングから離れている一端には内部傾斜面（１７）の傾斜方向と一致する外部傾斜面（２９）が形成されることを特徴とする請求項１に記載のアンギュラコンタクトボールベアリングの支持フレーム。
【考案の詳細な説明】
【技術分野】
【０００１】
本考案は、軸受の技術分野に属し、特に、アンギュラコンタクトボールベアリングの支持フレームに関するものである。
【背景技術】
【０００２】
マシンツールの主軸のアンギュラコンタクトボールベアリングの潤滑方法は、主として、グリース（ｇｒｅａｓｅ）潤滑とオイル潤滑を含む二種がある。その二種の潤滑方法はいずれも、支持フレームの潤滑を有効に確保できる利点を有している。
【０００３】
しかしながら、従来のアンギュラコンタクトボールベアリングの支持フレームは下記欠点を有している。
１、グリース潤滑型ベアリングの構造を変化させない場合、オイル潤滑を採用すると、オイルの衝撃によりノイズが生ずる。
２、回転体と支持フレームの接触面積が大きいことにより大量の熱が生ずる。
３、支持フレームの支持孔の辺縁部により回転体を傷つける。
４、回転体と支持フレームの支持孔が当接する位置が確定されていないことにより支持フレームの回転が不安定になる。
【考案の概要】
【考案が解決しようとする課題】
【０００４】
本考案の目的は前記問題を解決するため、設計が適合するアンギュラコンタクトボールベアリングを提供することにある。
【課題を解決するための手段】
【０００５】
前記目的を実現するため本考案は下記技術的事項を採用する。本考案のアンギュラコンタクトボールベアリングの支持フレームは支持フレーム本体を含み、支持フレーム本体の円周には円周に均等に配列される複数個の回転体支持孔が形成されている。支持フレーム本体は内部リングを含み、内部リングの一端には円周に均等に配置される複数の内側梁部が連結され、内側梁部の内部リングから離れている一端は支持フレーム本体の直径方向の中心平面を少し超え、隣接している２つの内側梁部と内部リングによりＵ型の内部円錐型支持講が形成され、内部円錐型支持講の壁部の中央には外部から内部への方向に連結される第一中央円弧型接触凸面と第一内部回避面が形成され、内部円錐型支持講の壁部の両端には内部円錐型支持講の壁部の幅の方向に延伸する凹入円弧型接触凸面がそれぞれ形成され、支持フレーム本体は外部リングを更に含み、外部リングの一端には円周に均等に配置される複数の外側梁部が連結され、隣接している２つの外側梁部と外部リングによりＵ型の外部円錐型支持講が形成され、内側梁部の数量と外側梁部の数量は等しく、外側梁部は内側梁部の外表面に一つずつ固定され、かつ外側梁部の外部リングから離れている一端は内部リングの外壁まで延伸し、内部円錐型支持講の大直径部の外側端部は外部円錐型支持講の大直径部の内側端部に向き、かつ前記内部円錐型支持講と外部円錐型支持講により前記回転体支持孔が形成され、外部円錐型支持講の壁部の中央には外部から内部への方向に連結される第二中央円弧型接触凸面と第二内部回避面が形成され、外部円錐型支持講の壁部の両端には外部円錐型支持講の壁部の幅の方向に延伸する突出円弧型接触凸面がそれぞれ形成され、前記突出円弧型接触凸面は前記凹入円弧型接触凸面の外側にそれぞれ位置し、回転体はそれぞれ、第一中央円弧型接触凸面、凹入円弧型接触凸面、第二中央円弧型接触凸面および突出円弧型接触凸面と接触し、回転体の接触位置と連結されて形成される輪郭線の曲率半径は回転体の曲率半径より大きく、回転体の非接触位置と連結されて形成される輪郭線の曲率半径は回転体の曲率半径より小さい。
【０００６】
内側梁部の内部リングから離れている一端は支持フレーム本体の直径方向の中心平面を少し超え、超えている長さは内側梁部の軸方向の長さの１／５〜１／１０である。
【０００７】
外側梁部と内側梁部は一体型構造に形成され、射出成型によりそららを一体に成型することができる。
【０００８】
前記アンギュラコンタクトボールベアリングの支持フレームにおいて、前記凹入円弧型接触凸面の外側の辺縁と突出円弧型接触凸面の内側の辺縁は連結され、かつ凹入円弧型接触凸面と突出円弧型接触凸面との間には回避区間が形成される。
【０００９】
前記アンギュラコンタクトボールベアリングの支持フレームにおいて、前記外部円錐型支持講の壁部の両端には突出円弧型接触凸面にそれぞれ連結されかつ外部円錐型支持講の外部から外部円錐型支持講の内部への方向に連結される制限用円弧型凸面、制限用円弧型凹面および傾斜面が形成される。
【００１０】
前記アンギュラコンタクトボールベアリングの支持フレームにおいて、外側梁部の両側面には前記突出円弧型接触凸面、制限用円弧型凸面、制限用円弧型凹面および傾斜面がそれぞれ形成され、外側梁部の一側面に形成される突出円弧型接触凸面と他の一側面に形成される突出円弧型接触凸面は対称に形成され、外側梁部の一側面に形成される制限用円弧型凸面と他の一側面に形成される制限用円弧型凸面は対称に形成され、外側梁部の一側面に形成される制限用円弧型凹面と他の一側面に形成される制限用円弧型凹面は対称に形成され、外側梁部の一側面に形成される傾斜面と他の一側面に形成される傾斜面は対称に形成されかつ２つの傾斜面は八字型に配置される。
【００１１】
前記アンギュラコンタクトボールベアリングの支持フレームにおいて、前記第一内部回避面と第二内部回避面はいずれも円弧型の凹面である。
【００１２】
前記アンギュラコンタクトボールベアリングの支持フレームにおいて、前記外側梁部の内表面は円弧結合型凹面であり、内側梁部の外表面は円弧結合型凸面であり、その円弧結合型凸面と内部リングの外壁は整列し、前記円弧結合型凹面は円弧結合型凸面に適合し、かつ円弧結合型凹面は内部リングの外壁に適合する。
【００１３】
前記アンギュラコンタクトボールベアリングの支持フレームにおいて、各内側梁部の端部の両側面には前記凹入円弧型接触凸面が配置され、内側梁部の端部の一側面に配置される凹入円弧型接触凸面と内側梁部の端部の他の一側面に配置される凹入円弧型接触凸面は対称に配置される。
【００１４】
前記アンギュラコンタクトボールベアリングの支持フレームにおいて、前記第一中央円弧型接触凸面は内部円錐型支持講の壁部の中央位置に形成される。
【００１５】
前記アンギュラコンタクトボールベアリングの支持フレームにおいて、前記第二中央円弧型接触凸面は外部円錐型支持講の壁部の中央位置に形成される。
【００１６】
前記アンギュラコンタクトボールベアリングの支持フレームにおいて、内側梁部の内部リングから離れている一端には下部と内部へ傾斜する内部傾斜面が形成され、外側梁部の外部リングから離れている一端には内部傾斜面の傾斜方向と一致する外部傾斜面が形成される。
【考案の効果】
【００１７】
従来の技術と比較してみると、本考案のアンギュラコンタクトボールベアリングの支持フレームにより下記考案の効果を奏することができる。
１、本考案によりグリース潤滑とオイル潤滑型アンギュラコンタクトボールベアリングは同一の支持フレームを共用し、支持フレームの種類を減少させることができる（設計製造のコストを低減できる利点を有している）
２、そのような設計によりオイルが支持フレームの梁部に衝撃を与えることを減少させ、支持フレームの振動によりノイズが生ずることを防止することができる（オイル潤滑を改善することができる）。
３、オイルがベアリングの講部に流入するオブストラクションを減少させることにより、オイル潤滑装置のエネルギー消耗を低減することができる（オイル潤滑を改善することができる）。
４、ベアリングの内部の隙間の体積を増加させかつベアリングのグリースの注入量を増加させることによりベアリングの使用時間を延長させることができる（グリース潤滑を改善することができる）。
５、グリースの注入量が一致する場合、ベアリングでグリースを撹拌するオブストラクションを減少させることにより、グリースの撹拌により形成される熱を減少させ、ベアリングの昇温を抑制することができる（グリース潤滑を改善することができる）。
６、回転体支持孔の内部を適当に設けることにによりグリースの流失を低減し、ベアリングの使用時間を延長させることができる（グリース潤滑を改善することができる）。
７、回転体と支持フレームが接触するとき生ずる摩擦熱を低減し、ベアリングの昇温を抑制することができる（２つの潤滑方法を改善することができる）。
８、支持フレームの回転体支持孔の辺縁部により回転体を傷つけることを低減し、安定性を向上させることができる（２つの潤滑方法を改善することができる）。
９、回転体と支持フレームが当接する位置を確定し、支持フレームの回転の安定性を向上させることができる（２つの潤滑方法を改善することができる）。
【図面の簡単な説明】
【００１８】
【図１】本考案のアンギュラコンタクトボールベアリングの支持フレームの構造を示す斜視図である。
【図２】本考案のアンギュラコンタクトボールベアリングの支持フレームを示す構造図である。
【図３】図２のＡ―Ａ線に沿う断面の構造を示す図である。
【図４】図２のＢ―Ｂ線に沿う断面の構造を示す図である。
【図５】本考案のアンギュラコンタクトボールベアリングの支持フレームの局部の構造を示す拡大図である。
【図６】図５中の１ａ個所の断面を示す拡大構造図である。
【図７】図５中の１ｂ個所の断面を示す拡大構造図である。
【図８】図５中の１ｃ個所の断面を示す拡大構造図である。
【図９】本考案の外側梁部の横方向の断面を示す構造図である。
【図１０】本考案の回転体と支持フレームが接触する状態を示す局部拡大図である。
【図１１】本考案のアンギュラコンタクトボールベアリングを示す構造図である。
【考案を実施するための形態】
【００１９】
以下、本考案の具体的な実施例と図面により本考案の技術的事項をより詳細に説明するが、本考案は下記実施例にのみ限定されるものでない。
【００２０】
図１に示すとおり、本考案のアンギュラコンタクトボールベアリングの支持フレームは支持フレーム本体ａを含み、支持フレーム本体ａの円周には円周に均等に配列される複数個の回転体支持孔ａ１が形成され、回転体は回転体支持孔ａ１内に取り付けられる。
【００２１】
図２に示すとおり、支持フレーム本体ａは内部リング１を含み、内部リング１の一端には円周に均等に配置される複数の内側梁部１１が連結されている。内側梁部１１と内部リング１は一体型構造を有している。すなわち内側梁部１１と内部リング１が射出成型により一体に成型されることにより構造の強度を向上させることができる。
【００２２】
内側梁部１１が円周に均等に配置されることにより重力のバランスを確保しかつ製造の難度を低減することができる。
【００２３】
内側梁部１１の厚さは内部リング１の壁部の厚さと等しい。
【００２４】
内側梁部１１の内部リング１から離れている一端には下部と内部へ傾斜する内部傾斜面１７が形成されており、その傾斜面により後期の組立てを容易に実施することができる。
【００２５】
図２に示すとおり、内側梁部１１の内部リング１から離れている一端は支持フレーム本体ａの直径方向の中心平面を少し超えている。そのような設計によりオイルが支持フレームの梁部に衝撃を与えることを減少させ、支持フレームの振動によりノイズが生ずることを防止することができる。また、オイルがベアリングの講部に流入するオブストラクションを減少させることにより、オイル潤滑装置のエネルギー消耗を低減することができる。また、ベアリングの内部の隙間の体積を増加させかつベアリングのグリースの注入量を増加させることによりベアリングの使用時間を延長させることができる。グリースの注入量が同様である場合、ベアリングでグリースを撹拌するオブストラクションを減少させることにより、グリースの撹拌により形成される熱を減少させ、ベアリングの昇温を抑制することができる。
【００２６】
図２、図５および図８に示すとおり、隣接している２つの内側梁部１１と内部リング１によりＵ型の内部円錐型支持講１２が形成され、内部円錐型支持講１２の壁部の中央には外部から内部への方向に連結される第一中央円弧型接触凸面１３と第一内部回避面１４が形成されている。前記第一中央円弧型接触凸面１３が内部円錐型支持講１２の壁部の中央位置に形成されることにより製造を容易に実施することができる。第一内部回避面１４は円弧型の凹面であり、その設計により回避の空間を拡大させ、回転体を傷つける現象等を避けることができる。
【００２７】
好適な実施例において、第一中央円弧型接触凸面１３は内部円錐型支持講１２の壁部の中央位置に形成される。
【００２８】
図３と図６に示すとおり、内部円錐型支持講１２の壁部の両端には内部円錐型支持講１２の壁部の幅の方向に延伸する凹入円弧型接触凸面１５がそれぞれ形成されている。２個の凹入円弧型接触凸面１５と中央の第一中央円弧型接触凸面１３により回転体を支持する３つの支持点が形成されるので、支持の安定性を向上させることができる。また、前記設計により、回転体と支持フレームが接触するとき生ずる摩擦熱を低減し、ベアリングの昇温を抑制し、ベアリングの使用寿命を延長させることができる。
【００２９】
各内側梁部１１の端部の両側面には前記凹入円弧型接触凸面１５が配置され、内側梁部１１の端部の一側面に配置される凹入円弧型接触凸面１５と内側梁部１１の端部の他の一側面に配置される凹入円弧型接触凸面１５は対称に配置される。
【００３０】
対称の構造に形成されることにより、加工と製造の効率を向上させ、製造の難度を低減し、かつ重力のバランスを確保することができる。
【００３１】
図２に示すとおり、支持フレーム本体ａは外部リング２を更に含み、外部リング２の一端には円周に均等に配置される複数の外側梁部２１が連結されている。外側梁部２１が円周に均等に配置されることにより重力のバランスを確保しかつ製造の難度を低減することができる。
【００３２】
外側梁部２１と外部リング２は一体型構造を有している。すなわち外側梁部２１と外部リング２が一体に鍛造されることにより構造の強度を向上させることができる。
【００３３】
外側梁部２１の厚さは外部リング２の一側の壁部の厚さと等しい。
【００３４】
外側梁部２１の外部リング２から離れている一端には内部傾斜面１７の傾斜方向と一致する外部傾斜面２９が形成されている。内部傾斜面１７と外部傾斜面２９の傾斜方向が一致することによりその２つを組立てる効率を向上させることができる。
【００３５】
外側梁部２１と内側梁部１１は溶接により一体に連結される。
【００３６】
また、外部リングの軸線と内部リングの軸線が重畳することにより回転体が回転するときの安定性と順調性を向上させることができる。
【００３７】
図２と図５に示すとおり、隣接している２つの外側梁部２１と外部リング２によりＵ型の外部円錐型支持講２２が形成され、外部円錐型支持講２２の開口と内部円錐型支持講１２の開口は対向するように形成される。内側梁部１１の数量と外側梁部２１の数量は等しく、外側梁部２１は内側梁部１１の外表面に一つずつ固定され、かつ外側梁部２１の外部リング２から離れている一端は内部リング１の外壁まで延伸する。すなわち内側梁部１１の軸方向の長さは外側梁部２１の軸方向の長さより短い。
【００３８】
外側梁部２１の内表面は円弧結合型凹面であり、内側梁部１１の外表面は円弧結合型凸面であり、その円弧結合型凸面は内部リング１の外壁に整列する。前記円弧結合型凹面は円弧結合型凸面に適合し、かつ円弧結合型凹面は内部リング１の外壁に適合する。
【００３９】
その構造により２つの部品が連結固定される構造の強度と構造の安定性を構造させ、開裂、脱落等の現象を避けることができる。
【００４０】
内部円錐型支持講１２の大直径部の外側端部は外部円錐型支持講２２の大直径部の内側端部に向き、かつ前記内部円錐型支持講１２と外部円錐型支持講２２により前記回転体支持孔ａ１が形成される。すなわち内部円錐型支持講１２と外部円錐型支持講２２の円錐の傾斜方向は相反する。その目的は、回転体を制限し、回転体の脱落を避けることにある。
【００４１】
図４と図７に示すとおり、外部円錐型支持講２２の壁部の中央には外部から内部への方向に連結される第二中央円弧型接触凸面２３と第二内部回避面２４が形成されている。第二中央円弧型接触凸面２３は外部円錐型支持講２２の壁部の中央位置に形成され、第二内部回避面２４は円弧型の凹面である。
【００４２】
第二中央円弧型接触凸面２３および第一中央円弧型接触凸面１３と回転体が接触する区域の輪郭は外部へ突出する曲線であることにより接触面積を減少させ、その設計により前記考案の効果の第七を獲得することができる。球心に近づいている球体の非接触区域の一側は内部へ窪んでいる曲線であることにより支持孔の辺縁部と回転体と間の距離を増加させ、その設計により前記考案の効果の第八を獲得することができる。
【００４３】
図６に示すとおり、外部円錐型支持講２２の壁部の両端には外部円錐型支持講２２の壁部の幅の方向に延伸する突出円弧型接触凸面２５がそれぞれ形成され、前記突出円弧型接触凸面２５は前記凹入円弧型接触凸面１５の外側にそれぞれ位置し、前記凹入円弧型接触凸面１５の外側の辺縁と突出円弧型接触凸面２５の内側の辺縁は連結され、かつ凹入円弧型接触凸面１５と突出円弧型接触凸面２５との間には回避区間１６が形成される。回転体と接触する区域において、突出円弧型接触凸面２５と凹入円弧型接触凸面１５はいずれも突出型曲線であることにより接触面積を減少させ、その設計により前記考案の効果の第七を獲得することができる。
【００４４】
また、２個の突出円弧型接触凸面２５と第二中央円弧型接触凸面２３により回転体を支持する３つの支持点が形成されているので、支持の安定性を向上させることができる。また、前記設計により、回転体と支持フレームが接触するとき生ずる摩擦熱を低減し、ベアリングの昇温を抑制し、ベアリングの使用寿命を延長させることができる。
【００４５】
また、突出円弧型接触凸面２５と凹入円弧型接触凸面１５が連結される構造により内外の制限が形成され、回転体の安定性を更に向上させることができる。回避区間１６がＶ型の構造を有していることにより、グリースを貯蔵し、回転体の回転の安定性を更に向上させることができる。
【００４６】
図９に示すとおり、外部円錐型支持講２２の壁部の両端には突出円弧型接触凸面２５にそれぞれ連結されかつ外部円錐型支持講２２の外部から外部円錐型支持講２２の内部への方向に連結される制限用円弧型凸面２６、制限用円弧型凹面２７および傾斜面２８が形成されている。制限用円弧型凸面２６と制限用円弧型凹面２７の湾曲の方向は支持フレームの軸線に向き、前記制限用円弧型凸面２６、制限用円弧型凹面２７および傾斜面２８が連結されて形成される輪郭において、支持フレームの軸線から支持フレームの中央の直径方向の表面に向かってその傾斜率は平坦になり、その設計により前記考案の効果の第七を獲得することができる。
【００４７】
外側梁部２１の両側面には前記突出円弧型接触凸面２５、制限用円弧型凸面２６、制限用円弧型凹面２７および傾斜面２８がそれぞれ形成されている。外側梁部２１の一側面に形成される突出円弧型接触凸面２５と他の一側面に形成される突出円弧型接触凸面２５は対称に形成され、外側梁部２１の一側面に形成される制限用円弧型凸面２６と他の一側面に形成される制限用円弧型凸面２６は対称に形成され、外側梁部２１の一側面に形成される制限用円弧型凹面２７と他の一側面に形成される制限用円弧型凹面２７は対称に形成され、外側梁部２１の一側面に形成される傾斜面２８と他の一側面に形成される傾斜面２８は対称に形成され、かつ２つの傾斜面２８は八字型に配置されている。
【００４８】
両側面の構造が対称に形成されることにより、加工の難度を低減し、回転体の回転の安定性を向上させ、かつ支持フレームの重力のバランスを確保することができる。
【００４９】
図１０に示すとおり、回転体はそれぞれ、第一中央円弧型接触凸面１３、凹入円弧型接触凸面１５、第二中央円弧型接触凸面２３および突出円弧型接触凸面２５と接触し、回転体の接触位置と連結されて形成される輪郭線の曲率半径は回転体の曲率半径より大きく、回転体の非接触位置と連結されて形成される輪郭線の曲率半径は回転体の曲率半径より小さい。その設計により前記考案の効果の第九を獲得することができる。
【００５０】
図１１に示すとおり、本実施例によりその図面のアンギュラコンタクトボールベアリングを製造することができる。アンギュラコンタクトボールベアリングは、内部隔離リング４と、内部隔離リング４の外側に取り付けられる外部隔離リング５と、内部隔離リング４の一端に連結されるベアリング内部リング６と、外部隔離リング５の一端に連結されかつベアリング内部リング６の外側に取り付けられるベアリング外部リング７とを含む。外部隔離リング５の直径方向にはオイル送入孔５１と傾斜状態のオイル排出孔５２が形成され、オイル排出孔５２の一端はオイル送入孔５１と連通し、オイル排出孔５２の他端はベアリング内部リング６とベアリング外部リング７により形成される環状空間に向く。環状空間内には支持フレームａと支持フレームａの回転体支持孔ａ１内に取り付けられる回転体ｂとが取り付けられる。
【００５１】
オイル送入孔５１とオイル排出孔５２により９０度より大きい夾角が形成される。
【００５２】
また、オイル送入孔５１の内径はオイル排出孔５２の内径の２倍以上である。
【００５３】
以上、具体的な実施例により本考案の技術的事項を詳述してきたが、前記実施例は本考案の例示にしか過ぎないものであるため、本考案は前記実施例の構成にのみ限定されるものでない。本技術分野の技術者は本考案の要旨を逸脱しない範囲において設計の変更、改良等をすることができ、それがあっても本考案に含まれることは勿論である。
【符号の説明】
【００５４】
ａ  支持フレーム本体、
ｂ  回転体、
ａ１  回転体支持孔、
１  内部リング、
１１  内側梁部、
１２  内部円錐型支持講、
１３  第一中央円弧型接触凸面、
１４  第一内部回避面、
１５  凹入円弧型接触凸面、
１６  回避区間、
１７  内部傾斜面、
２  外部リング、
２１  外側梁部、
２２  外部円錐型支持講、
２３  第二中央円弧型接触凸面、
２４  第二内部回避面、
２５  突出円弧型接触凸面、
２６  制限用円弧型凸面、
２７  制限用円弧型凹面、
２８  傾斜面、
２９  外部傾斜面、
４  内部隔離リング、
５  外部隔離リング、
５１  オイル送入孔、
５２  オイル排出孔、
６  ベアリング内部リング、
７  ベアリング外部リング。
【図１】
0003227401.tif 000003
【図２】
0003227401.tif 000004
【図３】
0003227401.tif 000005
【図４】
0003227401.tif 000006
【図５】
0003227401.tif 000007
【図６】
0003227401.tif 000008
【図７】
0003227401.tif 000009
【図８】
0003227401.tif 000010
【図９】
0003227401.tif 000011
【図１０】
0003227401.tif 000012
【図１１】
0003227401.tif 000013